(57)【要約】【課題】  長尺の透水濾過性シート材料から連続的に形成可能な四面体状容器用袋状体、その製造方法、それを用いた四面体状抽出バッグ及びその調製方法の提供。【解決手段】  前背両面部がその両側縁において連続し、それぞれの左右半部が、各面部の中央において、接着されていて、両面部の底部は、互に接着されており、前背両面部の左半部には、その頂部から延び出た内側折り返し部が形成され、前背両面部の右半部には、吊下げ用テープ又は糸条が配置され、右半部から延び出た外側折り返し部が形成され、これらの両端は、前背面部の中央接着域に接着されている袋状体は、四面体状抽出バッグを調製するために有用である。【選択図】      図１
2005119676.tif 000002
【特許請求の範囲】
【請求項１】
透水濾過性シートからなる袋状体であって、
前記袋状体は、前・背両面部を有し、前記前・背両面部は、その頂端において、不連続であり、かつその底端において接着封止されており、その前記底辺の中点において、前記底辺にほぼ直角をなす中心軸の左右の左半部及び右半部のそれぞれの前・背両面部は、連続していて、前記前面部の右半部と左半部は、前記中心軸に平行に形成された前面部接着域において、互に接着封止されており、かつ前記背面部の右半部と左半部とは前記中心軸に平行に形成された背面部接着域において互に接着されており、前記前・背面部の互に連続している左半部及び右半部のいずれか一方は、その頂部から更に延び出して内側に折り返されている内側折り返し部を有し、この内側折り返し部の両端は、前記前・背面接着域に接着されており、前記前・背面部の互に連続している左半部及び右半部の他方は、その頂部から更に延び出して外側に折り返されている外側折り返し部を有し、この外側折り返し部と、それに対向する前記前・背面部半部の外表面との間に、吊下げ用テープ又は糸条が配置されていて、前記外側折り返し部及び吊下げ用テープ又は糸条の両端は、前記前・背面接着域に接着されていることを特徴とする四面体状容器形成用袋状体。
【請求項２】
前記透水濾過性シート及び吊下げテープが、熱可塑性耐水性合成繊維からなるメッシュ状織物である、請求項１に記載の袋状体。
【請求項３】
前記外側折り返し部の先端部がさらに外側に折り返されている、請求項１又は２に記載の帯状体。
【請求項４】
前記請求項１〜３のいずれか１項に記載の四面体状容器形成用袋状体から形成され、かつ被抽出材料が充填されている四面体状抽出バッグであって、
前記袋状体の前記前・背面部の、前記内側折り返し部を有する半部の頂端部分と、前記外側折り返し部を有する半部の頂端部分とから、それぞれを平旦化して、互に重ね合わせることによって、
前記底部に対して、ほぼ直角をなす方向に伸び、かつ前記前面接着域及び背面接着域が両端に位置する、不連続頂部が形成されており、
前記外側折り返し部を有する面部及び前記内側折り返し部を有する面部の互に不連続の頂部が、前記外側折り返し部を、前記内側折り返し部を有する面部側に反転して折り返され、それによって、前記両面部の頂部間の不連続部が、被覆閉塞されており、かつ、前記吊下げテープ又は糸条が外側に露出していることを特徴とする四面体状抽出バッグ。
【請求項５】
下記工程（１）〜（３）：
（１）透水濾過性長尺シートの１側縁部分を、前記長尺シートの長手軸方向に平行に、かつその表面側に折り返して内側折り返し部を形成し、その上に、前記長尺シートをその長手軸方向に平行な折り重ね線に沿って半折に重ね合わせて、互に連続している下側長手半部及び上側長手半部と、を形成し、前記上側長手半部の側縁部分を前記長手軸方向に平行に、かつその表面側に折り返して、外側折り返し部を形成し、
このとき、前記折り重ね線から、前記下側長手半部の内側折り返し部の折り返し端、及び前記上側長手半部の外側折り返し部の折り返し端までの繊維が等しくなるように調節し、かつ吊下げテープ又は糸条を、前記上側長手半部と、その上の前記折り返し部との間に前記長手軸に平行に、配置して、吊下げ用テープ又は糸条付き折り重ね体を形成し、
（２）前記吊下げ用テープ又は糸条付き折り重ね体の上・下側長手半部の上端縁部を、前記長手軸にほぼ直交する方向に、所定の接着幅をもって延びる接着域において接着し、かつこの接着域を、前記長手軸に平行な中心線に沿って切断し、
前記切断線から前記長手軸に平行な方向に所望の距離をもって離間した中心線を有する接着域において、前記上・下側長手半部を前記折り返し部及び吊下げテープ又は糸条とともに接着し、かつ前記中心線に沿って切断し、かつ前記上・下側長手半部の折り目線又はその近傍部分を、前記長手軸に平行に切断する操作からなる作業を繰り返して、折り返し部付下面部と折り返し部及び吊下げテープ又は糸条付上面部とからなり、前記上・下面部は、その折り返し部及び吊下げテープ又は糸条とともに、前記両接着域において接着され、前記折り返し部を有する頂部と、及びその反対側の底部において不連続な単位袋前駆体を順次に作製し、
（３）前記単位袋前駆体の各々を、その前記長手方向にほぼ直交する方向の中心軸を、回転軸としてそのまわりに９０度回転させ、これによって形成され互に対向する前・背両面部を、前記接着域が、互にほぼ重なり合うように重ね合わせて、前記不連続底部を接着封止して、単位袋状体を形成する
ことを含むことを特徴とする、四面体状容器形成用袋状体の製造方法。
【請求項６】
請求項５に記載の四面体状容器形成用袋状体の製造方法により製造された単位袋状体の不連続頂部を開口して、被抽出材料を前記単位袋状体中に充填し、
前記単位袋状体の、前記内側折り返し部を有する、半部の頂部と、前記外側折り返し部を有する半部の頂部とを、それぞれ平旦化して互に重ね合わせて、前記底部に対して、ほぼ直角をなして伸びる、互に不連続な２面の頂部を形成し、
前記外側折り返し部を、前記内側折り返し部を有する面部の外側に反転折り返して、前記内側折り返し部を有する面部の頂部と、外側折り返し部を有する面部の頂部との間の不連続間隙を被覆閉塞し、前記吊下げテープ又は糸条を外側に露出させることを特徴とする四面体状抽出バッグの調製方法。
【発明の詳細な説明】
【技術分野】
【０００１】
本発明は四面体状容器形成用袋状体及びその製造方法に関するものである。更に詳しく述べるならば本発明は長尺透水濾過性シートから、連続的に、製造することができる四面体状容器形成用袋状体及びその製造方法に関するものである。
本発明の袋状体は、四面体状容器、特に、四面体状抽出バッグを容易に調製するための前駆体として有用なものである。
【背景技術】
【０００２】
従来、茶などの被抽出材料を、水透過性バッグに収容した所謂ティーバッグなどの抽出バッグが広く実用されている。しかし、このような抽出バッグは、既にその中に所定の被抽出材料が所定の量で収容されているため、このような抽出バッグは、消費者の所望の材料および所望の量と必ずしも一致するものではなかった。
このため消費者が所望の材料を、所望の量だけ収容して使用し得るような抽出バッグ用容器が考案され、被抽出材料とは別個に供給されている。
【０００３】
例えば実開昭５８−１２７６４号公報（特許文献１）には、一端を開口した水透過性袋体の開口部上端内側に１対のベルベット式ファスナーを固定し、袋体外側のファスナーよりも下方の位置に１対の浮体を固定した容器が開示されている。この容器を使用するには、その袋体中に被抽出材料を収容した後、その上端部のファスナーを閉じ、これを抽出液中に投入する。すると、浮体によりファスナー部が抽出液面の上に位置するようになり、ファスナーの間隙から抽出滓が漏れ出ることを防止することができる。しかし、このような容器は、１対のファスナーや１対の浮体により嵩高なものとなり、かつ、高価であって使い捨て用途には適さないものであった。
【０００４】
実開昭６２−３１０３５号公報（特許文献２）に、本考案の出願人により水透過性表裏面両面部により形成され、一開放端を有する袋状体が開示されている。この袋状体において、その表裏面両面部は、それぞれ開放端から伸び出した二つの折り返し部を有し、両折り返し部のいずれか一方は、対応する面部の外側に折り返され、その側端末は、対応面部の外側面に接着されており、両折り返し部の他方は、それに対応する面部の内側に折り返され、その側端末は対応面部の内側面に接着されている。
このような容器に、所望の被抽出材料を所望量だけ充填し、袋状体の外側折り返し部を、反対面部の開放端を越えて折り返し、袋状体の開放端を閉塞すれば、抽出バッグが形成される。
しかしながら、このような従来の抽出バッグは、実質的に二面袋状体であって、水の透過や、バッグ内の被抽出材料の撹拌が十分に行われず、従って抽出効果が十分に満足できるものではなかった。
【０００５】
実開平２−９０２７０号公報（特許文献３）において、本願の出願人は、四面体状容器を提案した。この四面体状容器においては、その一積線部のみを不連続にして開口可能にし、この積線において対向する２面のうちの１面Ａを、延長させ、この延長部を面Ａの裏側に折り曲げてその両端を裏面側に接着固定し、他の１面Ｂも延長し、この延長部を面Ｂの表側に折り曲げて、その両端を表面側に接着固定したものである。この四面体状容器の対向する不連続二面ＡＢの頂部間開口し、容器内に所望の被抽出材料の所望量を充填し、前記面Ｂの表側折り曲げ部を反転させて、前記不連続開口部を越えて面Ａの表面側上を被覆し、開口部を閉塞することができる。
しかし、この四面体状容器は、予じめそれを形成するに要する面積を有する矩形状シート片を裁断しておき、それから、１個づつ製造しなければならないものであって、このため長尺シート材料から連続的に製造することができず、製造コストが高いという問題点があった。
【０００６】
【特許文献１】実開昭５８−１２７６４号公報
【特許文献２】実開昭６２−３１０３５号公報
【特許文献３】実開平２−９０２７０号公報
【発明の開示】
【発明が解決しようとする課題】
【０００７】
本発明は、長尺の透水濾過性シート材料から連続的に製造することができ、かつ四面体状容器、特に四面体状抽出バッグを形成することができる四面体状容器形成用袋状体及びその製造方法を提供し、併せて四面体状抽出バッグ及びその製造方法を提供しようとするものである。
【課題を解決するための手段】
【０００８】
本発明の四面体状容器形成用袋状体は、透水濾過性シートからなる袋状体であって、
前記袋状体は、前・背両面部を有し、前記前・背両面部は、その頂端において、不連続であり、かつその底端において接着封止されており、その前記底辺の中点において、前記底辺にほぼ直角をなす中心軸の左右の左半部及び右半部のそれぞれの前・背両面部は、連続していて、前記前面部の右半部と左半部は、前記中心軸に平行に形成された前面部接着域において、互に接着封止されており、かつ前記背面部の右半部と左半部とは前記中心軸に平行に形成された背面部接着域において互に接着されており、前記前・背面部の互に連続している左半部及び右半部のいずれか一方は、その頂部から更に延び出して内側に折り返されている内側折り返し部を有し、この内側折り返し部の両端は、前記前・背面接着域に接着されており、前記前・背面部の互に連続している左半部及び右半部の他方は、その頂部から更に延び出して外側に折り返されている外側折り返し部を有し、この外側折り返し部と、それに対向する前記前・背面部半部の外表面との間に、吊下げ用テープ又は糸条が配置されていて、前記外側折り返し部及び吊下げ用テープ又は糸条の両端は、前記前・背面接着域に接着されていることを特徴とするものである。
本発明の袋状体において、前記透水濾過性シート及び吊下げテープが、熱可塑性耐水性合成繊維からなるメッシュ状織物であることが好ましい。
本発明の袋状体において、前記外側折り返し部の先端部がさらに外側に折り返されていることが好ましい。
本発明の四面体状抽出バッグは、前記本発明の四面体状容器形成用袋状体から形成され、かつ被抽出材料が充填されているもの四面体状抽出であって、
前記袋状体の前記前・背面部の、前記内側折り返し部を有する半部の頂端部分と、前記外側折り返し部を有する半部の頂端部分とから、それぞれを平旦化して、互に重ね合わせることによって、
前記底部に対して、ほぼ直角をなす方向に伸び、かつ前記前面接着域及び背面接着域が両端に位置する、不連続頂部が形成されており、
前記外側折り返し部を有する面部及び前記内側折り返し部を有する面部の互に不連続の頂部が、前記外側折り返し部を、前記内側折り返し部を有する面部側に反転して折り返され、それによって、前記両面部の頂部間の不連続部が、被覆閉塞されており、かつ、前記吊下げテープ又は糸条が外側に露出していることを特徴とするものである。
本発明の四面体状容器形成用袋状体の製造方法は、下記工程（１）〜（３）：
（１）透水濾過性長尺シートの１側縁部分を、前記長尺シートの長手軸方向に平行に、かつその表面側に折り返して内側折り返し部を形成し、その上に、前記長尺シートをその長手軸方向に平行な折り重ね線に沿って半折に重ね合わせて、互に連続している下側長手半部及び上側長手半部と、を形成し、前記上側長手半部の側縁部分を前記長手軸方向に平行に、かつその表面側に折り返して、外側折り返し部を形成し、
このとき、前記折り重ね線から、前記下側長手半部の内側折り返し部の折り返し端、及び前記上側長手半部の外側折り返し部の折り返し端までの繊維が等しくなるように調節し、かつ吊下げテープ又は糸条を、前記上側長手半部と、その上の前記折り返し部との間に前記長手軸に平行に、配置して、吊下げ用テープ又は糸条付き折り重ね体を形成し、
（２）前記吊下げ用テープ又は糸条付き折り重ね体の上・下側長手半部の上端縁部を、前記長手軸にほぼ直交する方向に、所定の接着幅をもって延びる接着域において接着し、かつこの接着域を、前記長手軸に平行な中心線に沿って切断し、
前記切断線から前記長手軸に平行な方向に所望の距離をもって離間した中心線を有する接着域において、前記上・下側長手半部を前記折り返し部及び吊下げテープ又は糸条とともに接着し、かつ前記中心線に沿って切断し、かつ前記上・下側長手半部の折り目線又はその近傍部分を、前記長手軸に平行に切断する操作からなる作業を繰り返して、折り返し部付下面部と折り返し部及び吊下げテープ又は糸条付上面部とからなり、前記上・下面部は、その折り返し部及び吊下げテープ又は糸条とともに、前記両接着域において接着され、前記折り返し部を有する頂部と、及びその反対側の底部において不連続な単位袋前駆体を順次に作製し、
（３）前記単位袋前駆体の各々を、その前記長手方向にほぼ直交する方向の中心軸を、回転軸としてそのまわりに９０度回転させ、これによって形成され互に対向する前・背両面部を、前記接着域が、互にほぼ重なり合うように重ね合わせて、前記不連続底部を接着封止して、単位袋状体を形成することを含むことを特徴とするものである。
本発明の四面体状抽出バッグの調製方法は、前記本発明の四面体状容器形成用袋状体の製造方法により製造された単位袋状体の不連続頂部を開口して、被抽出材料を前記単位袋状体中に充填し、
前記単位袋状体の、前記内側折り返し部を有する、半部の頂部と、前記外側折り返し部を有する半部の頂部とを、それぞれ平旦化して互に重ね合わせて、前記底部に対して、ほぼ直角をなして伸びる、互に不連続な２面の頂部を形成し、
前記外側折り返し部を、前記内側折り返し部を有する面部の外側に反転折り返して、前記内側折り返し部を有する面部の頂部と、外側折り返し部を有する面部の頂部との間の不連続間隙を被覆閉塞し、前記吊下げテープ又は糸条を外側に露出させることを特徴とするものである。
【発明の効果】
【０００９】
本発明の四面体状容器形成用袋状体は、長尺の透水濾過性シート材料から、連続的に容易に製造できる構成を有し、本発明の四面体状抽出バッグは、前記袋状体から容易に製造することが可能な構成を有し、本発明の四面体状容器形成用袋状体の製造方法は、長尺の透水濾過性シート材料から、四面体状容器形成用袋状体を、連続的にかつ容易に製造することを可能にし、かつ本発明の四面体状抽出バッグは、前記袋状体から四面体状抽出バッグを容易に調製することを可能にする。
【発明を実施するための最良の形態】
【００１０】
本発明において、袋状体及びその内側及び外側折り返し部並びに吊下げ用テープに用いられる透水濾過性シート材料は熱可塑性耐水性合成繊維から形成されたメッシュ状織物又は不織布から選ばれることが好ましく、特に熱可塑性耐水性合成モノフィラメント糸条から形成されたメッシュ状織物であることがより好ましい。熱可塑性耐水性合成繊維又はモノフィラメント糸条は、例えばポリオレフィン系、ポリエステル系、及びポリアミド系又はポリ乳酸系繊維、或はモノフィラメント糸条のように、熱融着可能な耐水性合成樹脂からなるものであることが好ましい。これらの合成樹脂のなかでもポリエチレン及びポリプロピレンなどのポリオレフィン系及び生分解性合成樹脂から選ばれることが好ましい。また、合成繊維不織布はメルトブロー法、スパンボンド法、又はサーマルボンド法のいずれの方法で製造されたものであってもよい。
本発明に用いられるシート材料の目付けには格別の限定はないが、１２〜３０ｇ／ｍ2 の質量と、０．１６〜０．５mmの厚さを有し、熱湯中において、実用上十分な機械的強度を有していることが好ましい。
本発明の袋状体を形成するための接着方法には制限はないが熱融着法、高周波融着法、又は超音波融着法を用いることが好ましい。
【００１１】
図１に本発明の四面体状容器形成用袋状体の構成説明図が示されている。図１において、袋状体１は、透水・濾過性シート材料からなる、前・背両面部２及び３を有し、この前・背両面部２，３は、その頂端２ａ，３ａにおいて不連続であって、開口可能でありその底部２ｂ，３ｂは、底部接着域４において互に接着封止されており前面部の左半部２ｃと背面部の左半部３ｃとは互に連続しており、かつ前面部の右半部２ｄと背面部の右半部３ｄとは互に連続していて、前面部の左半部２ｃと左半部２ｄとは、前面部接着域５において、互に接着され、また背面部の左半分３ｃと右半部３ｄとは、背面部接着域６において互に接着防止されている。図１において、互に連続している前面部の左半部２ｃと背面部の左半部３ｃは、その頂部から更に延び出して内側に折り返されている。内側折り返し部７を有し、互に連続している前面部の右半部２ｄ及び背面部の右半部３ｄはその頂部から更に延び出して、外側に折り返されている外側折り返し部８を有している。この外側折り返し部８と、前面部右半部２ｄ及び背面部右半部３ｄとの間には、吊下げ用テープ又は糸条９（図１においてはテープ）が配置されていて、内側折り返し部７、外側折り返し部８及び吊下げ用テープ又は糸条９の両端は、前面接着域５及び背面接着域６に接着されている。
【００１２】
図１に示されている本発明の袋状体１において前面部２及び背面部３には、端末Ｃ及びＤの間に形成された底部接着域４の中点Ｅを通り、前面部頂部２ａの中点Ａ及び背面部の頂部３ａの中点Ｂに至る前面接着域５及び背面接着域６が形成され、それによって、頂部が不連続（開口可能）な袋状体が形成されていることが重要であり、この構成により、四面体状容器を形成することが可能な本発明の袋状体は長尺の透水濾過性シート材料から連続的、かつ容易に製造することが可能になる。
図２は、図１の袋状体の頂部部分における折り返し構造を示す説明図である。
【００１３】
図２において、互に連続している前面部左半部２ｃ及び背面部３ｃの内側に内側折り返し部７が形成され、これらの両端は前・背面接着域５，６に接着しており、かつ互に連続している前面部右半部２ｄ及び背面部右半部３ｄの外側に、吊下げ用テープ９が配置され、その外側に外側折り返し部８が形成され、これらの両端は、前・背面接着域５，６に接着されている。
外側折り返し部８はその先端部において、更に外側に折り返されていてもよい。
吊下げ用テープは、熱可塑性耐水性合成繊維（特にモノフィラメント）織物から選ばれることが好ましい。
本発明の袋状体の寸法に制限はないが通常幅５〜８cm、長さ５〜８cmであることが好ましく、それを四面体状容器に形成したとき、４０〜１７０cm3 の容積を有することが好ましい。
【００１４】
前記本発明の四面体状容器形成用袋状体は、本発明の方法により、例えば下記の工程により製造することができる。
図３に示されている長尺透水濾過性シート材料１１の左側縁部分を、その長手軸に平行に、折り目１３に沿って、図４に示されているように表側に折り返して内側折り返し部１４を形成する。また、シート材料１１を、その長手軸１２に平行に、折り重ね線１５に沿って半折し、重ね合わせて、下側長手半部１６と、上側長手半部１７を形成し、上側長手半部１７を、長手軸１２に平行に、折り目１８に沿って表側に折り返し、さらに折り目１９に沿って、表側に折り返して、外側折り返し部２０を形成する。このとき、折り重ね線から、下側長手半部の内側折り返し部の折り返し端、及び上側長手半部の外側折り返し部の折り返し端までの距離Ｌ1及びＬ2が等しくなるように調節し、かつ吊下げテープ又は糸条９を、前記長手軸１２に平行に、上側長手半部１７とその外側折り返し部２０との間に配置する。これによって、吊下げ用テープ又は糸条付き折り重ね体２１が形成される。上記の操作は、シート１１を静止させて順次に施してもよいし、或は矢印の方向に移動させながら順次に施してもよい。
【００１５】
次に図５において、吊下げ用テープ又は糸条付き折り重ね体２１を、その長手中心軸２２に沿って、矢印方向に移動させる場合、折り重ね体２１の所定の部分２３が所定の接着・切断位置２４に位置したとき、この部分２３に長手中心軸２２にほぼ直角をなす方向に、所定の幅（例えば０．５〜５．０mm）をもって接着（例えば溶融接着、或は超音波接着）を施し、かつ、この接着域２５の中心線２６に沿って切断する。次に、折り重ね体２１の前記部分２３の前記切断線２６から所定距離にある部分２７が、前記接着切断位置２４に位置したとき、これに前記と同一の接着・切断操作を施す。また、前記部分２７が、もとの位置２８から接着切断位置２４まで移動する間に、折り重ね体２１の折り重ね線１５又は、それに平行な近傍部分において、長手軸方向２２に平行な切断線２９に沿って切断を施す。前記接着切断操作を、折り重ね体を移動させずに施す場合は、位置２４において接着切断を行った後、位置２８において接着切断を行い、かつ切断線２９に沿って切断を行う。それによって、図６に示す単位袋前駆体３０が形成される。
【００１６】
図６において、単位袋前駆体３０は、外側折り返し部２０を有する上面部３１と、内側折り返し部（図示されていない）を有する下面部３２を有し、上面部３１と下面部３２とは、内側折り返し部、外側折り返し部及び吊下げ用テープ又は糸条とともに、接着域５及び６において互に接着されている。上・下面部３１，３２の右端は、不連続でありまたそれらの左端も不連続である。
【００１７】
図６に示されている単位袋前駆体３０を、その長手中心軸２２に、ほぼ直交する方向の横手中心軸３３のまわりに９０度回転させ、この状態における。表面部２及び背面部３の右端部分を重ね合わせて、図７に示されているように表・背面部２，３の右端部を、接着域４により接着する。これによって、四面体状容器形成用袋状体１が形成される。
【００１８】
図１又は８に示されている四面体状容器形成用袋状体１から、四面体状抽出バッグを形成するには、図９（Ａ）に示されているように、袋状体１の頂部を開口し、被抽出材料の所定量を充填し、その頂部を閉じて、内側折り返し部７を有する。前・背面部の左側２ｃ，３ｃ半部の頂部と、外側折り返し部８を有する。前・背面部の右側半部２ｄ，３ｄの頂部とを平坦化して互に重ね合わせ、接着底部４の方向にほぼ直角をなす方向に伸びる不連続な２面の頂部を形成する。このときの頂部における内側及び外側折り返し部７，８及び吊下げ用テープ９の配置構成は図９において説明的に図示されている。
【００１９】
図１０において、説明的に図示されているように、外側折り返し部８を、反転させて、内側折り返し部７の外側を、被覆し、頂部において重なり合った２面の不連続間隙を閉塞する。それによって、吊下げ用テープ９は、外側に露出する。この露出した吊下げ用テープ又は糸条の接着両端の一つを、引張って削離すれば、１端においてのみ、四面体状抽出バッグに連結された吊下げ用テープを得ることができる。この吊下げ用テープが、合成モノフィラメント糸条からなる織物である場合、このテープは、そのこわさが高く抽出バッグから上向きに突出することができる。吊下げ用テープは、テープ状に製織したものであってもよく、或は、広幅織物を、所定のテープ幅に溶融カットすることにより、この切断縁に、ほつれ防止処理を施し、同時にテープのこわさを増強してもよい。
【００２０】
本発明の袋状体から形成された四面体状抽出バッグは、例えば、図１１に示されているように、
１枚の透水濾過性シートから形成され、４個の頂点Ａ，Ｂ，Ｃ及びＤと、４個の三角形状面部を有する四面体状容器であって、
頂点ＡＢＣにより規定される面部４１と、頂部ＡＢＤにより規定される面部４２とは、稜線ＡＢにおいて不連続であり、頂点ＡＣＤにより規定される面部４３と頂点ＢＣＤにより規定される面部４４とは、稜線ＣＤにおいて接着により互に接合されており、その他の稜線においては、それを介して対向する面部は互に連続しており、
前記面部４２において、接着稜線ＣＤの中点Ｅと、頂点Ａとを結ぶ線ＥＡに沿って形成された、接着域５により、面半部ＡＥＣと面半部ＡＥＤとが接着されており、かつ頂点ＢＣＤにより規定される面部４４において、接着稜線ＣＤの中点Ｅと、頂点Ｂとを結ぶ線ＥＢに沿って、接着域６により面半部ＢＥＣと面半部ＢＥＤとが接着されており、
前記面部４１には、その一辺ＡＢから一辺ＡＢの幅をもって伸び出し、一辺ＡＢにおいて、内側に折り返され折り返し部７が連続していて、その両端は、接着域５及び６に接着固定されており、
前記面部４２には、その一辺ＡＢから一辺ＡＢの幅をもって伸び出し、一辺ＡＢにおいて面部４２の外側に折り返された折り返し部８が連続していて、その両端は接着域５及び６に接着固定されており、
前記面部２と、外側折り返し部８との間に、吊下げテープ又は糸条９が配置されていて、その両端は接着域５及び６に接着されている。
【００２１】
図１１に示す四面体状容器に被抽出材料が充填されているとき、この四面体状抽出バッグを、吊下げ用テープ又は糸条９によって吊下げて、容器（カップ）中の熱湯中に浸漬し、テープ又は糸条によって、抽出バッグを熱湯中において、揺動することにより被抽出材料を四面体状抽出バッグ中に浮動させ、抽出を促進することができる。吊下げ用テープ又は糸条９は、四面体状抽出バッグの折返し部の幅の任意の位置から伸び出ていてもよいが、図１２に示すように四面体状抽出バッグの頂点に近接した位置から伸び出ていることが好ましい。
【産業上の利用可能性】
【００２２】
本発明の四面体状容器形成用袋状体は、長尺の透水濾過性シート材料から連続的に、容易かつ安価に製造することができ、かつ四面体状抽出バッグの調製に有用なものであり、本発明方法により前記袋状体を、連続的に容易かつ安価に製造することが可能になり、かつ前記袋状体と被抽出材料とから四面体状抽出バッグを容易に調製することが可能になる。
【図面の簡単な説明】
【００２３】
【図１】本発明の四面体状容器を形成するための袋状体の構成を示す斜視説明図である。
【図２】本発明の袋状体の構成を示す横断面説明図である。
【図３】本発明の四面体状容器形成用袋状体の製造方法における長尺の透水濾過性シート材料の平面説明図である。
【図４】図３に記載のシート材料から折り重ね体を形成する工程を示すための斜視説明図である。
【図５】図４に記載の折り重ね体から袋前駆体を形成する工程を示すための平面説明図である。
【図６】図４に記載の工程により形成された袋前駆体の構成を示す平面説明図である。
【図７】図６に記載の袋前駆体から袋状体を形成するまでの工程の前半部を説明するための平面説明図である。
【図８】図７に示す袋前駆体から前記工程の後半部を経て形成された袋状体の構成を示す平面説明図である。
【図９】図１又は図８に示す袋状体から四面体状容器を形成するための工程の前半部を説明するための正面説明図である。
【図１０】図９に示された袋状体に対し、前記工程の後半部を施したときの袋状体の頂部の構成を示す正面説明図である。
【図１１】図１又は図８の袋状体から形成された四面体状容器の一例の構成を示す斜視説明図である。
【図１２】図１又は図８の袋状体から形成された四面体状容器の他の例の構成を示す斜視説明図である。
【符号の説明】
【００２４】
１…四面体状容器形成用袋状体
２…前面部
３…背面部
２ａ，３ａ…前・背面部の頂部
２ｂ，３ｂ…前・背面部の底部
２ｃ…前面部の左半部
２ｄ…前面部の右半部
３ｃ…背面部の左半部
３ｄ…背面部の右半部
４…底部接着域
５…前面部接着域
６…背面部接着域
７…内側折り返し部
８…外側折り返し部
９…吊下げ用テープ
１１…透水濾過性長尺シート
１２…長手中心軸
１３，１８，１９…折り目
１４…内側折り返し部
１５…折り重ね線
１６…下側長手半部
１７…上側長手半部
２０…外側折り返し部
２１…吊下げ用テープ又は糸条付き折り重ね体
２２…長手中心線
２３…折り重ね体の一部分
２４…接着切断位置
２５…接着域
２６…接着域の中心線
２７…折り重ね体の他の部分
２８…別の接着切断位置
２９…切断線
３０…吊下げ用テープ又は糸条付き単位袋前駆体
３１…上面部
３２…下面部
３３…横手中心線
４１，４２，４３，４４…四面体の面部
Ａ…前面部頂部の中点、四面体の１頂点
Ｂ…背面部頂部の中点、四面体の他の頂点
Ｃ，Ｄ…底部接着域の両端、四面体の他の頂点
Ｅ…底部接着域の中点、四面体の稜線ＣＤの中点
Ｌ1，Ｌ2…距離
【図１】
2005119676.tif 000003
【図２】
2005119676.tif 000004
【図３】
2005119676.tif 000005
【図４】
2005119676.tif 000006
【図５】
2005119676.tif 000007
【図６】
2005119676.tif 000008
【図７】
2005119676.tif 000009
【図８】
2005119676.tif 000010
【図９】
2005119676.tif 000011
【図１０】
2005119676.tif 000012
【図１１】
2005119676.tif 000013
【図１２】
2005119676.tif 000014